(57)【要約】【課題】液晶表示部４を備えたリモコン装置では、リモコンモードの他に液晶表示部４にテレビ画像を表示させるテレビモードを備えている。リモコンモードで給湯温度やふろ温度といった各種の制御項目についての設定を終了しテレビモードに切り換えると、制御項目を消し、テレビ画面のみを表示させることが望ましい。ただし、テレビ画面のみを表示させると一部の制御項目に関する制御内容、すなわち給湯温度やふろ温度は表示されないと不便である。【解決手段】テレビモードに切り替えられても、給湯温度やふろ温度についてはテレビ画面と共に表示し続けるようにした。【選択図】  図４
2006098011.tif 000002
【特許請求の範囲】
【請求項１】
他所に設置された機器の作動を制御するリモコン機能と、テレビ画像を表示するテレビ機能とを備えたテレビ機能付きリモコン装置であって、テレビ画像を表示する画像表示部を備え、リモコン機能を作動させると、各種の制御項目と、各制御項目に対応する制御内容とをリモコン画面として上記画像表示部に表示させるものにおいて、リモコン画面からテレビ画像を表示するテレビ画面に切り替えられた状態で、上記制御内容のうち所定のものをテレビ画面の所定位置に表示させることを特徴とするテレビ機能付きリモコン装置。
【請求項２】
上記テレビ画面に表示されている制御内容は、テレビ画面表示中、常に表示されるようにしたことを特徴とする請求項１に記載のテレビ機能付きリモコン装置。
【請求項３】
上記テレビ画面に表示される制御内容の大きさおよび表示位置のうち、少なくとも一方を変更し得るようにしたことを特徴とする請求項１または請求項２に記載のテレビ機能付きリモコン装置。
【請求項４】
上記機器は給湯装置であり、浴室内に設置され、給湯温度と風呂温度とを上記制御内容としてテレビ画面に表示させることを特徴とする請求項１から請求項３のいずれかに記載のテレビ機能付きリモコン装置。
【請求項５】
リモコン画面が表示されている状態で、制御項目および制御内容が表示されていない部分にテレビ画像が透過して表示されるようにしたことを特徴とする請求項１から請求項４のいずれかに記載のテレビ機能付きリモコン装置。
【発明の詳細な説明】
【技術分野】
【０００１】
本発明は、液晶表示部を備え、この液晶表示部に機器の作動制御に関する制御項目および制御内容を表示するリモコン画面と、この液晶表示部にテレビ画像を表示させるテレビ画面とが切り替え自在なテレビ機能付きリモコン装置に関する。
【背景技術】
【０００２】
近年、入浴中にテレビ画像を鑑賞したいという要求が高まっており、この要求を受けて、機器であるガス給湯装置の作動を浴室内から制御する浴室用のリモコン装置に、テレビ画像を表示できる液晶の画像表示部を備えたものが提案されている（例えば、特許文献１参照）。
【０００３】
この画像表示部はドットマトリクス式のものであるため、リモコン装置として作動する際に表示することが必要な各種制御項目や、これら制御項目に対応した制御内容を画像表示部に表示させることができる。
【０００４】
上記従来のものでは、画像表示部にテレビ画像を表示させている状態で、制御項目である給湯温度を変更する必要が生じた場合には、制御項目である「給湯温度」という文字と共に制御内容である給湯温度の数値と、給湯温度の温度上昇用と温度下降用とのアイコンをテレビ画像に重ねて表示させるように構成されている。
【０００５】
そして、このようにテレビ画像に重ねて表示された設定内容等は、給湯温度の変更操作が終了した場合や１０秒間温度変更の操作がされないと、自動的にテレビ画像から消去され、その後テレビ画像のみが画像表示部に表示されるように構成されている。
【特許文献１】特開２００４−３６９１６号公報（段落００３６、および図１３）
【発明の開示】
【発明が解決しようとする課題】
【０００６】
上記従来のものでは、例えばテレビ画像を表示している状態で給湯温度の変更を行うと、給湯温度の設定が終了した場合や１０秒間操作を行わないと、給湯温度等の表示を消してテレビ画像のみにすることにより、テレビ画像の鑑賞の邪魔にならないようにしている。
【０００７】
給湯温度やふろ温度等は入浴中は頻繁に入浴者が知りたい情報であり、例えばリラクゼーションを目的として、ぬるめの湯で半身浴をしながら長時間入浴する場合には、制御内容の１つであるふろ温度は正確、かつ常時チェックする要請がある。ところが、上記従来のリモコン装置では、入浴者が給湯温度を知りたいと思うたびにリモコン装置を操作して給湯温度を表示させなければいけないという煩わしさが生じる。
【０００８】
そこで本発明は、上記の問題点に鑑み、上述のような煩わしさの生じないテレビ機能付きリモコン装置を提供することを課題とする。
【課題を解決するための手段】
【０００９】
上記課題を解決するために本発明によるテレビ機能付きリモコン装置は、他所に設置された機器の作動を制御するリモコン機能と、テレビ画像を表示するテレビ機能とを備えたテレビ機能付きリモコン装置であって、テレビ画像を表示する画像表示部を備え、リモコン機能を作動させると、各種の制御項目と、各制御項目に対応する制御内容とをリモコン画面として上記画像表示部に表示させるものにおいて、リモコン画面からテレビ画像を表示するテレビ画面に切り替えられた状態で、上記制御内容のうち所定のものをテレビ画面の所定位置に表示させることを特徴とする。
【００１０】
本発明でも従来のものと同様に、制御項目の設定操作が終了すると、画像表示部の表示をリモコン画面からテレビ画面に切り換え、テレビ画像の鑑賞ができるようにしている。ただし、従来のものでは設定が終了すると制御項目および制御内容を完全に画像表示部から消去し、テレビ画像のみにしていたが、本発明では、制御内容のうち所定のものを引きつづきテレビ画面上に表示させるようにした。
【００１１】
なお、上記テレビ画面に表示されている制御内容は、テレビ画面表示中、常に表示されるようにすることが望ましい。
【００１２】
また、上記テレビ画面に表示される制御内容の大きさおよび表示位置のうち、少なくとも一方を変更し得るようにしてもよい。
【００１３】
ところで、上記機器は給湯装置であり、浴室内に設置され、給湯温度と風呂温度とを上記制御内容としてテレビ画面に表示させる。
【００１４】
また、リモコン画面が表示されている状態で、制御項目および制御内容が表示されていない部分にテレビ画像が透過して表示されるようにしてもよい。
【発明の効果】
【００１５】
以上の説明から明らかなように、本発明は、制御項目の制御内容を変更し、あるいは制御内容を確認したあと、テレビ画面に切り換えても、制御内容のうち給湯温度など所定のものを引きつづきテレビ画面に表示し続けることにより、入浴者はテレビ画面を楽しみながら、かつ常に給湯温度等を確認することができる。
【発明を実施するための最良の形態】
【００１６】
図１を参照して、１は浴室に設置される風呂リモコンであり、この風呂リモコン１が作動を制御する給湯装置２に対して通信線１１を介して接続されている。また、３は台所に設置された台所リモコンであり、同じく通信線１１に接続され、給湯装置２の作動を制御することができる。
【００１７】
風呂リモコン１には大型の液晶表示部４が設けられており、給湯装置２の作動制御に関する複数の制御項目と各制御項目に対応する制御内容からなるリモコン画面がこの液晶表示部４に表示される。また、この風呂リモコン１にはテレビ機能が備えられており、液晶表示部４にはテレビ画像が表示されるテレビ画面に表示を切り換えることができる。
【００１８】
図２を参照して、テレビ機能を作動させるにはテレビ側の電源スイッチ１２を押し操作する。すると、風呂リモコン１の作動状態はテレビモードになり、液晶表示部４の表示部はテレビ画面となりテレビ画像が表示されると共に、一対のスピーカ５からテレビ音声が発音される。スピーカ５から発音されるテレビ音声の音量は音量スイッチ５１を操作することにより調節することができる。また、チャンネルスイッチ４１を操作することによりチャンネルを変更することができる。
【００１９】
一方、リモコン側の電源スイッチ１３を押し操作すると風呂リモコン１はリモコンモードになり、液晶表示部４の表示画面はリモコン画面になる。このリモコン画面では図示のような各種制御項目６と各制御項目６に対応する制御内容６１が表示される。そして中央に位置する十字スイッチ１４を操作して所定の制御項目６を選択し、給湯装置２の作動を制御するように構成されている。これらの制御は図示しないが風呂リモコン１に内蔵されたマイコンにより行われる。
【００２０】
図２に示す液晶表示部４はテレビ側の電源スイッチ１２をオフにした状態でリモコン側の電源スイッチ１３をオンにして、風呂リモコンの作動モードをリモコンモードにした状態を示している。すなわち、液晶表示部４には各種制御項目６および制御内容６１が背景７上に一定に間隔を空けた状態で表示されている。
【００２１】
この状態でテレビ側の電源スイッチ１２をオンにすると、風呂リモコン１の作動モードはテレビモードに切り替わり、液晶表示部４にはテレビ画像が表示される。その状態でふたたびリモコン側の電源スイッチ１３を押し操作すると、風呂リモコン１の作動モードはリモコンモードに再度切り替わる。但し、テレビモードはその際継続しており、図３に示すように、背景７の部分が透過してテレビ画像を続けて表示するようにしてもよい。
【００２２】
このため、各制御項目６を選択して各種設定操作を行う間、テレビ画像が背景７の部分に表示され続ける。各種設定操作が終了し、テレビ側の電源スイッチ１２を押し操作すると、風呂リモコン１の作動モードはテレビモードに復帰する。その際、液晶表示部４から各種制御項目６が消え、テレビ画像が引き続いて表示されることになる。
【００２３】
なお、リモコン画面からテレビ画面に切り換えられても、図４に示すように、本実施の形態では給湯温度とふろ温度に関する制御内容６１を液晶表示部４の右下隅に表示し続けるようにした。
【００２４】
ところで、このようにテレビ画面に切り換えられた状態で続けて表示される制御内容６１の表示位置は、右下隅に限定されず、使用者の好みによって他の位置に変更するように構成されている。また、表示の大きさや表示色、透明度など、使用者の好みに応じて変更できるように構成されている。
【００２５】
テレビモードが停止している状態でリモコンモードが選択されると、背景７は透過させてテレビ画像を表示させる必要がないので、使用者の嗜好によって任意の色彩を選択し得るようにしてもよく、あるいは画像を表示させるようにしてもよい。
【００２６】
なお、本発明は上記した形態に限定されるものではなく、本発明の要旨を逸脱しない範囲内において種々の変更を加えてもかまわない。
【図面の簡単な説明】
【００２７】
【図１】本発明の一実施の形態の構成を示す図
【図２】風呂リモコンの詳細を示す図
【図３】液晶表示部の他の状態を示す図
【図４】テレビ画面での制御内容の表示状態を示す図
【符号の説明】
【００２８】
１ 風呂リモコン
２ 給湯装置
４ 液晶表示部
５ スピーカ
６ 制御項目
７ 背景
１１ 通信線
１２ （テレビ側の）電源スイッチ
１３ （リモコン側の）電源スイッチ
６１ 制御内容
【図１】
2006098011.tif 000003
【図２】
2006098011.tif 000004
【図３】
2006098011.tif 000005
【図４】
2006098011.tif 000006